(57)【要約】【課題】解決しようとする問題点は、散水用ホースリールを安定化させる為に大幅な大型化、重量増加させる事無く、更に施工等の手間も掛からずに容易に安定化させ、散水用ホースリールの移動、転倒を防止する事が課題である。【解決手段】散水栓用埋め込み型ボックスの散水栓ボックスカバー１８又は横向き散水栓ボックスカバー２１を散水栓カバークランプ部１５で挟み込み固定すると共にホルダー接地部１７で倒れ込みを防止しする固定具を取り付け箇所を選択し取り付ける事で様々な散水栓ボックスの移動、転倒を防止し安定化させる散水用ホースリール。【選択図】  図６
2010260727.tif 000002
【特許請求の範囲】
【請求項１】
散水栓用埋め込み型ボックスの散水栓ボックスカバー１８、又は横向き散水栓ボックスカバー２１を散水栓カバークランプ部１５で挟み込み固定する事で容易に安定化させ移動、転倒を防止出来る散水用ホースリール。
【請求項２】
ホルダー接地部１７を設けた事で散水栓ボックスカバー１８、又は横向き散水栓ボックスカバー２１の開き過ぎによる倒れ込みを防止し安定化させ、移動、転倒を防止出来る散水用ホースリール。
【請求項３】
散水用ホースリールに縦向き用固定具取り付け部７と横向き用固定具取り付け部８を設け、取り付けベース９を介し取り付け箇所を変更する事で散水栓の埋め込み型ボックスの縦向き、横向きの双方に対応する移動、転倒を防止出来る散水用ホースリール。
【請求項４】
ホルダー固定用スライド穴１４を設けスライド可能にした事で様々なサイズの散水栓用埋め込み型ボックスに対応する移動、転倒を防止出来る散水用ホースリール。
【発明の詳細な説明】
【技術分野】
【０００１】
本発明は、ガーデニング用、洗車用等に使用される散水用ホースリールに関するものである。
【背景技術】
【０００２】
従来の散水用ホースリールは不安定であり、ホースの繰り出し時にホースリールが移動したり、転倒する事があった。  又、巻き取り時はホースリールを手で押さえて安定させる必要があり手間が掛かるという欠点があった。
【０００３】
その対応として安定化させる為に大型化し、重量を増加させたものが有ったが、完全に安定させるには、大幅な大型化、重量増加が必要で有り、大型化、重量増加により、無駄なスペースを占有する上に重く取り扱い難いという欠点があった。又、大型化、重量増加が不足し、不完全なものが多くあった。
【０００４】
これらの欠点に対応したものとして、ホースリールの台部分に貯水槽を設
け、水の重さで安定させるものが有るが、移動時には水を抜く必要が有り手間が掛かる。  水が重しとしては軽い事から、安定させる為には多くの水を必要する事と貯水槽の分だけ背が高くなり重心が高くなる事から、貯水槽をホースリールより一回り広く作る必要が有り、結局は大きなものとなり、あまり効果が無い等の欠点があった。
【０００５】
又、地面や壁面に固定し安定させるものが有るが、固定する為には、地面や壁面に施工が必要で有り、安易に実施する事が出来ないという欠点があった。
【先行技術文献】
【特許文献】
【０００６】
【特許文献１】特願２００４−３８２６０４
【０００７】
【特許文献２】特願２００１−１１１３８８
【発明の概要】
【発明が解決しようとする課題】
【０００８】
解決しようとする問題点は、散水用ホースリールを安定化させる為に大幅な大型化、重量増加させる事無く、更に施工等の手間も掛からずに容易に安定化させ、散水用ホースリールの移動、転倒を防止する事を目的とする。
【課題を解決するための手段】
【０００９】
上記課題を達成する為、散水用ホースリールを取り付ける水栓と対になる事の多い散水栓用埋め込み型ボックスを利用し、散水用ホースリールを固定する事で散水用ホースリールの移動、転倒を防止し安定化させる。
【００１０】
散水用ホースリールの間近にある散水栓用埋め込み型ボックスを挟む事で、加工する事無く、固定する事で施工の必要も無く、容易に散水用ホースリールの移動、転倒を防止し安定化させる。
【００１１】
固定部をスライド可能にする事と取り付け箇所を変更する事で様々なサイズと縦向き、横向き双方の散水栓用埋め込み型ボックスに対応させる。
【発明の効果】
【００１２】
散水用ホースリールの間近にある散水栓用埋め込み型ボックスを挟み固定する事で施工等をする事無く、容易に散水用ホースリールを固定出来、安定化させる事が出来る。これにより、ホースの繰り出し時、巻き取り時にホースリールが移動したり、転倒したりする事無く、取り扱う事が出来る。
【００１３】
固定部をスライド可能にする事と取り付け箇所を変更する事で様々なサイズと縦向き、横向き双方の散水栓用埋め込み型ボックスに対応する事が出来る。
【図面の簡単な説明】
【００１４】
【図１】従来の散水用ホースリール外観斜図
【図２】従来の散水用ホースリール三面図
【図３】本発明の固定具取り付け部を設けた散水用ホースリール三面図
【図４】本発明の取り付けベース正面図
【図５】本発明の散水栓用固定具三面図
【図６】本発明の縦向き散水栓用固定具取り付け三面図
【図７】縦向き散水栓用埋め込み型ボックスのカバー開閉図
【図８】本発明の縦向き散水栓用固定具使用前後比較上方図
【図９】本発明の縦向き散水栓用固定具使用前後比較側方断面図
【図１０】横向き散水栓用埋め込み型ボックスのカバー開閉上方図
【図１１】本発明の横向き散水栓用固定具取り付け上方図
【発明を実施するための形態】
【００１５】
散水用ホースリールを容易に安定化させるという目的を散水栓用埋め込み型ボックスに固定する固定具を散水用ホースリールに取り付け安定化させるものであり以下、散水栓用埋め込み型ボックスの向き別に取り付け方法を説明する。図７の縦向き散水栓用埋め込み型ボックスの場合は図５の散水栓用固定具を図４の取り付けベース９に取り付け、更に縦向き用固定具取り付け部７に取り付けた図６の状態にする。この図６の縦向き散水栓用固定具取り付け状態で、散水栓カバークランプ部１５が開いた位置の散水栓ボックスカバー１８を左右から挟み込み固定すると共にホルダー接地部１７で散水栓ボックスカバー１８の開き過ぎによる倒れ込みを防止する事で大幅な大型化、重量増加させる事無く、更に施工等の手間も掛からずに容易に安定化させ、移動、転倒を防止する事が出来きる。
【００１６】
図１０の横向き散水栓用埋め込み型ボックスの場合は縦向きと同様に散水栓用固定具と取り付けベース９を横向き用固定具取り付け部部８に取り付けて図１１の状態で使用し、散水栓カバークランプ部１５で横向き散水栓ボックスカバー２１を左右から挟み使用する。これにより縦向きと同様の効果を得る事が出来る。
【実施例１】
【００１７】
本発明の使用方法について説明する。まずは、固定具を取り付ける為に、図３の様に散水用ホースリールに縦向き用固定具取り付け部７と横向き用固定具取り付け部８を設け、更に接地部を大きくし、散水栓ボックスカバー１８を開き出来た開口部を覆う為の接地部兼散水栓ボックスカバー６を設ける。この固定具取り付け部を設けた散水用ホースリールに固定具を取り付け使用する。以下、散水栓用埋め込み型ボックスの向き別に使用方法を説明する。まずは図７の縦向き散水栓用埋め込み型ボックスの場合は図５の散水栓用固定具を図４の取り付けベース９に取り付け、更に縦向き用固定具取り付け部７に取り付けた図６の状態にする。この図６の縦向き散水栓用固定具取り付け状態で、左右の散水栓カバークランプ部１５の間に、開いた位置の散水栓ボックスカバー１８を入れ、挟んだ状態で遊びが無い様に散水栓用ボックスカバー１８のサイズに合わせてホルダー基部１６をスライドさせ、ホルダー固定用ボルト１３で固定する。以後使用時には図９の矢印の様に上から差し込み、図８、図９の使用後の状態にする。これにより散水栓ボックスカバー１８を散水栓カバークランプ部１５で左右から挟み込み固定すると共にホルダー接地部１７で散水栓ボックスカバー１８の開き過ぎによる倒れ込みを防止する事で大幅な大型化、重量増加をさせる事無く使用出来、更に施工等の手間も掛からずに容易に安定化させ、移動、転倒を防止する事が出来きる。又、散水栓ボックスカバー１８を開き出来た開口部を接地部兼散水栓ボックスカバー６で覆う事で、散水栓ボックス内にゴミや砂や砂利などを防ぐ事が出来る。尚、スライド部分については固定用のボルトとナットにスライド穴を用いる最も簡単な構造で表していますが、スライドと固定が出来れば方法を特に限定しません。
【実施例２】
【００１８】
図１０の横向き散水栓用埋め込み型ボックスの場合は縦向きと同様に図５の散水栓用固定具を図４の取り付けベース９に取り付け使用する。更に横向き用固定具取り付け部８に取り付けて、図１１の状態で縦向きと同様に、開いた状態の横向き散水栓ボックスカバー２１が入り、挟んだ状態で遊びが無い様にホルダー基部１６をスライドさせ、ホルダー固定用ボルト１３で固定しておく。以後使用時には縦向きと同じく上から差し込み使用する。これにより縦向きと同様の効果を得る事が出来る。
【００１９】
固定具の取り付けに取り付けベース９を介して行っていますが、これは汎用性をもたせる為に縦向き、横向き両方に対応する様にしたもので、取り付け向きを限定し製造する場合は、該当取り付け部の箇所に直接固定具を取り付け、又は一体化する事でコスト削減する事も可能である。
【符号の説明】
【００２０】
１    放水側ホース  
２    ハンドル
３    カバー
４    水栓側ホース
５    接地部
６    接地部兼散水栓ボックスカバー
７    縦向き用固定具取り付け部
８    横向き用固定具取り付け部
９    取り付けベース
１０  取り付けベース固定ボルト
１１  取り付けベース固定用スライド穴
１２  ホルダー固定用ナット穴
１３  ホルダー固定用ボルト
１４  ホルダー固定用スライド穴
１５  散水栓カバークランプ部
１６  ホルダー基部
１７  ホルダー接地部
１８  散水栓ボックスカバー
１９  散水栓ボックスボディ
２０  水栓
２１  横向き散水栓ボックスカバー
【図１】
2010260727.tif 000003
【図２】
2010260727.tif 000004
【図３】
2010260727.tif 000005
【図４】
2010260727.tif 000006
【図５】
2010260727.tif 000007
【図６】
2010260727.tif 000008
【図７】
2010260727.tif 000009
【図８】
2010260727.tif 000010
【図９】
2010260727.tif 000011
【図１０】
2010260727.tif 000012
【図１１】
2010260727.tif 000013